(57)【特許請求の範囲】
【請求項１】
建物の外壁と間隔をあけて設けられた前桁と、
前記建物の外壁および前記前桁に支持された複数の根太と、
該複数の根太の上に設けられた床材と、
前記前桁の上に設けられた枠材と、
前記床材と前記枠材との隙間を塞ぐ見切り材と、を有し、
該見切り材は、対向する前記前桁の側面と前記根太との間に配置され、前記前桁の側面に固定される前桁固定板部を有していることを特徴とする床構造。
【請求項２】
前記見切り材は、前記枠材を付勢するように設けられている請求項１に記載の床構造。
【請求項３】
前記建物の外壁と前記前桁との間に架設され前記床材が載置される妻ばりを有し、
該妻ばりには、前記床材が配置される位置に印が設けられている請求項１又は２に記載の床構造。
【発明の詳細な説明】
【技術分野】
【０００１】
本発明は、テラスや物干しルームなどのテラス囲いの床構造に関する。
【背景技術】
【０００２】
従来、テラス囲いの床部には、前桁や前桁の上部に設置された枠材と床材との隙間を塞ぐ見切り材が設けられている（例えば、特許文献１および２参照）。このような見切り材は、床材や床材を支持する根太に固定されている。
【先行技術文献】
【特許文献】
【０００３】
【特許文献１】実公平２−１９４６１号公報
【特許文献２】実公平２−１９４６２号公報
【発明の概要】
【発明が解決しようとする課題】
【０００４】
見切り材に予め根太のピッチに合せてネジ孔が形成されていて、このネジ孔に挿通されたネジによって見切り材を根太に固定する場合、根太の取付け向きを間違えるなどしてネジ孔と根太とがずれてしまうと、見切り材を根太に固定できないため、根太の施工をやり直す必要がある。このため、根太の取付け向きを都度確認する必要があり、床構造の施工に手間がかかっている。
【０００５】
そこで、本発明は、容易に施工することができる床構造を提供することを目的とする。
【課題を解決するための手段】
【０００６】
上記目的を達成するため、本発明に係る床構造は、建物の外壁と間隔をあけて設けられた前桁と、前記建物の外壁および前記前桁に支持された複数の根太と、該複数の根太の上に設けられた床材と、前記前桁の上に設けられた枠材と、前記床材と前記枠材との隙間を塞ぐ見切り材と、を有し、該見切り材は、対向する前記前桁の側面と前記根太との間に配置され、前記前桁の側面に固定される前桁固定板部を有していることを特徴とする。
【０００７】
本発明では、見切り材が前桁の側面に固定されることにより、見切り材を根太に固定する必要がないため、根太の向きにかかわらず見切り材を容易に設置できる。
【０００８】
また、本発明に係る床構造では、前記見切り材は、前記枠材を付勢するように設けられていることが好ましい。
このような構成とすることにより、見切り材と枠材との間に隙間ができることを防止でき、床材と枠材との隙間を確実に塞ぐことができる。
【０００９】
また、本発明に係る床構造では、前記建物の外壁と前記前桁との間に架設され前記床材が載置される妻ばりを有し、該妻ばりには、前記床材が配置される位置に印が設けられている構成としてもよい。
このような構成とすることにより、床材を妻ばりの印に合せて配置することで、床材を容易に正位置へ設置することができる。
【発明の効果】
【００１０】
本発明によれば、床構造を容易に施工することができる。
【図面の簡単な説明】
【００１１】
【図１】本発明の実施形態によるテラス囲いの一例を示す正面図である。
【図２】図１のＡ−Ａ線断面図である。
【図３】図２のＢ部分拡大図である。
【図４】見切り材を説明する図である。
【図５】サッシ下枠材が取り付けられる前の前枠および見切り材を説明する図である。
【図６】妻ばりを説明する図である。
【図７】連結根太を説明する図である。
【発明を実施するための形態】
【００１２】
以下、本発明の実施形態による床構造について、図１乃至図７に基づいて説明する。
図１および図２に示すように、本実施形態による床構造１は、建物１１の外部に建物１１と連続して設けられるテラスや物干しルームなどのテラス囲い１２の床構造である。
ここで、建物１１の外壁１３に直交する水平方向（図１の紙面に直交する方向、図２の左右方向）を前後方向とし、この前後方向に直交する水平方向（図１の左右方向、図２の紙面に直交する方向）を幅方向とする。前後方向のうちの建物１１に対してテラス囲い１２が設けられている側を前側とし、その反対側を後側とする。
なお、図面では、テラス囲い１２に設けられるサッシを省略している。
【００１３】
床構造１は、幅方向に延在し外壁１３の前側に外壁１３と間隔をあけて配置された前桁２と、テラス囲い１２の幅方向の端部にそれぞれ設けられて外壁１３に取り付けられた躯体枠１５と前桁２との間に前後方向に延在するように架設された妻ばり３と、前後方向に延在し前端部が前桁２に支持されるとともに後端部が外壁１３に支持された複数の根太４，４…と、複数の根太４，４…の上に敷設された床材５と、幅方向に延在し前桁２の上部に設けられたサッシ下枠材（枠材）６と、幅方向に延在し床材５とサッシ下枠材６との隙間ｄ１（図３参照）を塞ぐ見切り材７と、を有している。本実施形態では、テラス囲い１２の幅方向の中間部において前後方向に延在する連結根太３２が設けられている。連結根太３２は、外壁１３に取り付けられた根太掛け（不図示）と前桁２との間に架設されている。
ここで、妻ばり３に対して幅方向の床材５側を幅方向の一方側とし、その反対側を幅方向の他方側とする。
【００１４】
前桁２は、外壁１３の前側に外壁１３と間隔をあけて設けられた一対の柱１４，１４の間に架設されている。
図３に示すように、前桁２は、それぞれ板面が略水平面となり上下に間隔をあけて配置される上板部２１および下板部２２と、板面が略鉛直面となり上板部２１の前端部および下板部２２の前端部に連続する前板部２３と、板面が略鉛直面となり上板部２１の後端部および下板部２２の後端部に連続する後板部２４と、を有している。これらの上板部２１、下板部２２、前板部２３および後板部２４は一体に形成されていて角筒体を構成している。
【００１５】
また、前桁２は、後板部２４の上下方向の中間部から後側に突出する第１突出板部２５と、後板部２４の上端部から後側に突出する第２突出板部２６と、後板部２４の上端部から前側に突出する第３突出板部２７と、前板部２３の下端部から下方に突出する第４突出板部２８と、を有している。
【００１６】
第１突出板部２５は、板面が略水平面となり、上部に根太４，４…が載置されて固定される根太掛けを構成している。
第２突出板部２６は、板面が略水平面となり、上面が上板部２１の上面と略面一となるように形成されている。第３突出板部２７は、板面が略水平面となり、上面が上板部２１の上面と略面一となるように形成されている。上板部２１、第２突出板部２６および第３突出板部２７の上部にはサッシ下枠材６が固定されている。
第４突出板部２８は、板面が略鉛直面となり、前面が前板部２３の前面と略面一となるように形成されている。
【００１７】
根太４は、前端部４ａが前桁２の第１突出板部２５に載置されてネジ４１で固定されている。また、図２に示すように根太４は、後端部４ｂが外壁１３に支持された根太掛け部材４２に載置されてネジ（不図示）で固定されている。
根太４の前端部４ａは、前桁２の後板部２４の後面および第２突出板部２６の後端部２６ａと前後方向に離間している。根太４の上面４ｃは、前桁２の上板部２１および第２突出板部２６よりも上方に配置されている。
【００１８】
図２および図３に示すように、床材５は、幅方向（図３の紙面に直交する方向）に延在する長尺の板状に形成された複数のデッキ材５１，５１…を有している。複数のデッキ材５１，５１…と妻ばり３（図１参照）との隙間には、この隙間を塞ぐ見切り材５２が設けられている。複数のデッキ材５１，５１…は、それぞれ根太４の上部に前後方向に敷き詰められていて、根太４に固定されている。複数のデッキ材５１，５１…は、それぞれ幅方向の妻ばり３側の端部５１ａ（図１参照）が妻ばり３（図２参照）に固定され、連結根太３２側の端部５１ｂが連結根太３２に固定されている。
【００１９】
図３に示すように、サッシ下枠材６は、前後方向の寸法が前桁２の第２突出板部２６の後端部２６ａから第３突出板部２７の前端部２７ａまでの前後方向の寸法と略同じ長さに形成されていて、後端部６ａが第２突出板部２６の後端部２６ａの直上に配置され、前端部６ｂが第３突出板部２７の前端部２７ａの直上に配置されている。
サッシ下枠材６は、後面６１のうちの下部側が上側に向かって漸次後側に傾斜する傾斜面に形成され、後面６１のうちの上部側が略鉛直面に形成されている。
【００２０】
見切り材７は、前桁２の後板部２４に固定される前桁固定板部７１と、サッシ下枠材６とデッキ材５１の前端部との間隔を塞ぐ塞ぎ板部７２と、サッシ下枠材６の後側に配置され前桁固定板部７１と塞ぎ板部７２とを連結する連結板部７３と、を有している。これらの前桁固定板部７１、塞ぎ板部７２および連結板部７３は、一体に形成されている。
【００２１】
図３および図４に示すように、前桁固定板部７１は、断面形状が略Ｌ字状に形成されていて、板面が略鉛直面となる第１板部７１１と、第１板部７１１の上端部から後側に突出し板面が略水平面となる第２板部７１２と、を有している。
図３に示すように、第１板部７１１が前桁２の後板部２４の後面のうちの上端部近傍に面接触してネジ７１３で固定されることで見切り材７が前桁２に固定されている。このとき、第２板部７１２が前桁２の第２突出板部２６の下面に面接触している。
本実施形態では、第１板部７１１にネジ７１３の位置を示すために幅方向に延在し断面形状が略Ｖ字型状の溝部７１１ａ（図４参照）が形成されている。
【００２２】
図４に示すように、連結板部７３は、断面形状が略Ｚ字状に形成されていて、前桁固定板部７１の第２板部７１２の後端部から上方に向かって漸次前側に傾斜する第３板部７３１と、第３板部７３１から後方に向かって漸次上側に傾斜する第４板部７３２と、第４板部７３２の後端部から上方に向かって漸次前側に傾斜する第５板部７３３と、を有している。つまり、連結板部７３は、前桁固定板部７１の第２板部７１２の面が指向する方向（鉛直面）に対して傾斜している。
【００２３】
塞ぎ板部７２は、断面形状が略Ｃ字状に形成されていて、連結板部７３の第５板部７３３の上端部に接続され前側から後側に向かって漸次上側に傾斜する第６板部７２１と、第６板部７２１の後端部から下方に向かって漸次後方に傾斜するように突出する第１突出片７２２と、第６板部７２１の前端部から下方に向かって漸次後方に傾斜するように突出する第２突出片７２３と、を有している。第６板部７２１は、前後方向の中間部において第５板部７３３の上端部と接続されている。
【００２４】
このような見切り材７は、弾性変形可能な材料で形成されていて、前桁固定板部７１の第２板部７１２と連結板部７３の第３板部７３１とが接続されている角部７４を軸として前桁固定板部７１と連結板部７３とが互いに近接する方向と離間する方向に弾性変形可能に構成されている。
このため、図５に示すように見切り材７が前桁２に固定されてサッシ下枠材６が前桁２に固定されていない状態では、連結板部７３が下側から上側に向かって漸次前側に傾斜した姿勢となっている。そして、図３に示すようにサッシ下枠材６が前桁２に固定されると、連結板部７３の第３板部７３１の前面７３１ａにサッシ下枠材６の後面６１が当接するとともに、塞ぎ板部７２の第２突出片７２３の前端部にサッシ下枠材６の後面６１が当接し、サッシ下枠材６によって連結板部７３が後方に押されて弾性変形する。
【００２５】
このとき、連結板部７３の第３板部７３１は、サッシ下枠材６の後面６１と面接触していて板面が略鉛直面となる。連結板部７３の第５板部７３３は、サッシ下枠材６の後面６１と離間した状態で板面が略鉛直面となる。
塞ぎ板部７２の第６板部７２１は、板面が略水平面となり、上面がサッシ下枠材６の上端部６ｄの高さに配置される。このような状態の塞ぎ板部７２は、床材５が設置されると、第１突出片７２２の下端部がデッキ材５１の上面と当接し、第６板部７２１の上面が妻ばり３側の見切り材５２の上面と同じ高さに配置される。
【００２６】
図６に示すように、妻ばり３は、前後方向に延在する略角筒状に形成され躯体枠１５および柱１４（図２参照）に固定される角筒部３１１と、角筒部３１１から幅方向の一方側かつ上側に突出し床材５のデッキ材５１が固定される床材固定部３１２と、を有している。
床材固定部３１２は、角筒部３１１の幅方向の一方側の面３１１ａにおける上端部３１１ｂから一方側に突出する第１板部３１３と、第１板部３１３の幅方向の一方側の端部から上方に突出する第２板部３１４と、第２板部３１４の上端部から幅方向の一方側に突出する第３板部３１５と、第３板部３１５の幅方向の一方側の端部から下側に突出する第４板部３１６と、第４板部３１６の下端部から幅方向の他方側に突出する第５板部３１７と、を有している。
【００２７】
第１板部３１３の上面と角筒部３１１の上面３１１ｃとは略面一で略水平面となり、第１板部３１３の上面および角筒部３１１の上面３１１ｃにサッシやパネルの下枠材８が固定されている。
第３板部３１５は、上面が根太４，４…（図１参照）の上面と略同じ高さに配置されていて、この上面に根太４，４…の上に設置されたデッキ材５１の妻ばり３側の端部５１ａが載置され、デッキ材５１がネジ５３で固定される。
第３板部３１５の上面には、デッキ材５１の妻ばり３側の端部５１ａが配置される位置に前後方向に延在し断面形状が略Ｖ字型状の第１溝部（印）３１８が形成されている。本実施形態では、第１溝部３１８は、妻ばり３の角筒部３１１から幅方向の一方側に１５ｍｍ離間した位置に形成されている。
また、第３板部３１５の上面には、デッキ材５１を固定するネジ５３が挿通される位置に前後方向に延在し断面形状が略Ｖ字型状の第２溝部３１９が形成されている。本実施形態では、第２溝部３１９は、第１溝部３１８から幅方向の一方側に５ｍｍ離間した位置に形成されている。
妻ばり３の上部に設けられた下枠材８とデッキ材５１の妻ばり３側の端部５１ａとの隙間ｄ２には、この隙間ｄ２を塞ぐ見切り材５２が設けられている。
【００２８】
図７に示すように、連結根太３２は、前後方向に延在する筒状に形成されている。連結根太３２は、板面が略水平面となる下板部３２１と、下板部３２１の幅方向の両端部近傍からそれぞれ上側に延びる第１側板部３２２，３２２と、第１側板部３２２，３２２の上端部からそれぞれ近づく方向に延びてデッキ材５１が固定されるデッキ材固定板部３２３，３２３と、デッキ材固定板部３２３，３２３の第１側板部３２２側と反対側の幅方向の端部からそれぞれ上側に延びる第２側板部３２４，３２４と、第２側板部３２４，３２４どうしを接続し板面が略水平面となる上板部３２５と、を有している。
【００２９】
デッキ材固定板部３２３，３２３は、上面が根太４の上面と略同じ高さで、板面が略水平面となるように配置されている。デッキ材固定板部３２３，３２３は、上側にデッキ材５１，５１が載置されてネジ５４で固定される。
上板部３２５は、上面が床材５の上面と略同じ高さで、板面が略水平面となるように配置されている。
デッキ材固定板部３２３，３２３には、それぞれデッキ材５１の連結根太３２側の端部５１ｂが配置される位置に前後方向に延在し断面形状が略Ｖ字型状の第１溝部（印）３２６，３２６が形成されている。本実施形態では、第１溝部３２６は、第２側板部３２４および上板部３２５から１５ｍｍ離間した位置に形成されている。
また、デッキ材固定板部３２３，３２３の上面には、デッキ材５１を固定するネジ５４が挿通される位置に前後方向に延在し断面形状が略Ｖ字型状の第２溝部３２７が形成されている。本実施形態では、第２溝部３２７は、第１溝部３２６から４.５ｍｍ離間した位置に形成されている。
連結根太３２の第２側板部３２４および上板部３２５とデッキ材５１の連結根太３２側の端部５１ｂとの隙間ｄ３には、この隙間ｄ３を塞ぐ見切り材５２が設けられている。
【００３０】
次に、本実施形態による床構造１の施工方法について説明する。
まず、一対の柱１４，１４の間に前桁２を架設するとともに、柱１４と躯体枠１５との間に妻ばり３を架設する。また、前桁２と建物に固定された根太掛けとの間に連結根太３２を架設する。
【００３１】
続いて、前桁２に見切り材７を固定する。見切り材７の前桁固定板部７１の第１板部７１１を前桁２の後板部２４の後面と当接させるとともに、第２板部７１２を前桁２の第２突出板部２６の下面と当接させ、第１板部７１１を前桁２の後板部２４にネジ７１３で固定する。このとき、前桁２の上部にはサッシ下枠材６が取り付けられていないため、見切り材７の連結板部７３が上側に向かって漸次前桁２側に傾斜した状態となる。
【００３２】
続いて、根太４，４…を設置する。根太４の前端部４ａを前桁２の第１突出板部２５に固定し、後端部４ｂを外壁１３に支持された根太掛け部材４２に固定する。
【００３３】
続いて、前桁２の上部にサッシ下枠材６を設置する。
見切り材７の連結板部７３を後側に押して、サッシ下枠材６の後端部が前桁２の第２突出板部２６の後端部２６ａの直上に配置されるようにサッシ下枠材６を前桁２の上部に載置し、サッシ下枠材６を前桁２にネジ６２で固定する。見切り材７の連結板部７３は、前側に戻ろうとして第３板部７３１がサッシ下枠材６の後面６１と当接し、サッシ下枠材６を前側に付勢した状態となる。また、見切り材７の塞ぎ板部７２の第２突出片７２３がサッシ下枠材６と当接し、塞ぎ板部７２の第６板部７２１が、板面が略水平面となる姿勢になる。
【００３４】
続いて、根太４，４…の上部にデッキ材５１を設置する。
このとき、デッキ材５１の幅方向の妻ばり３側の端部５１ａを妻ばり３の床材固定部３１２の第１溝部３１８の位置に合せるとともに連結根太３２側の端部５１ｂを連結根太３２のデッキ材固定板部３２３の第１溝部３２６の位置に合せる。そして、デッキ材５１の位置が確定したらデッキ材５１を根太４，４…、妻ばり３および連結根太３２に固定する。
【００３５】
デッキ材５１を妻ばり３に固定する際には、妻ばり３の床材固定部３１２の第２溝部３１９の位置をネジ５３の位置とし、連結根太３２に固定する際には、デッキ材固定板部３２３の第２溝部３２７の位置をネジ５４の位置とする。これにより、デッキ材５１の妻ばり３側の端部５１ａと妻ばり３の上部に設置された下枠材８との間には１５ｍｍの隙間ｄ２が形成され、デッキ材５１の連結根太３２側の端部５１ｂと連結根太３２の第２側板部３２４および上板部３２５との間には１５ｍｍの隙間ｄ３が形成される。
デッキ材５１の妻ばり３側の端部５１ａと妻ばり３の上部に設置された下枠材８との隙間ｄ２、およびデッキ材５１の連結根太３２側の端部５１ｂと連結根太３２の第２側板部３２４および上板部３２５との隙間ｄ３にそれぞれ見切り材５２を設置する。
【００３６】
複数のデッキ材５１，５１…のうち最前部に配置されて前桁２と隣接するデッキ材５１は、その前端部を前桁２に固定された見切り材７の塞ぎ板部７２の下に入り込ませるように設置する。これにより、デッキ材５１とサッシ下枠材６との隙間ｄ１が見切り材７によって塞がれる。
このようにしてテラス囲い１２の床構造１が施工される。
【００３７】
次に、上述した本実施形態による床構造１の作用・効果について図面を用いて説明する。
見切り材７が前桁２の側面に固定される構造であるため、根太４，４…の向きにかかわらず見切り材７を設置できる。これにより床構造１を容易に施工することができる。
また、見切り材７は、サッシ下枠材６を付勢するように設けられていることにより、見切り材７とサッシ下枠材６との間に隙間ができず、デッキ材５１とサッシ下枠材６との隙間ｄ１を確実に塞ぐことができる。
【００３８】
また、見切り材７の連結板部７３が前桁２側に傾斜していることにより、見切り材７を前桁２に固定する際に、見切り材７の第１板部７１１が前桁２に固定するためのネジ７１３の頭部に押されて反った状態となったとしても、連結板部７３の第３板部７３１がサッシ下枠材６から離間する位置に移動することを防止できる。
また、見切り材７の連結板部７３は、断面形状が略Ｚ字型となるように形成されていることにより、連結板部７３の下部側となる第３板部７３１をサッシ下枠材６の後面６１と当接させることができる。
【００３９】
また、妻ばり３には、デッキ材５１の妻ばり３側の端部５１ａが配置される位置に第１溝部３１８が形成されていることにより、デッキ材５１の妻ばり３側の端部５１ａを妻ばり３の第１溝部３１８に合せることで、デッキ材５１を容易に正位置へ設置することができる。また、連結根太３２には、デッキ材５１の連結根太３２側の端部５１ｂが配置される位置に第１溝部３２６が形成されていることにより、デッキ材５１の連結根太３２側の端部５１ｂを連結根太３２の第１溝部３２６に合せることで、デッキ材５１を容易に正位置へ設置することができる。
【００４０】
以上、本発明による床構造の実施形態について説明したが、本発明は上記の実施形態に限定されるものではなく、その趣旨を逸脱しない範囲で適宜変更可能である。
例えば、上記の実施形態では、見切り材７は、サッシ下枠材６側に傾斜してサッシ下枠材６を付勢するように形成されているが、サッシ下枠材６とデッキ材５１との隙間ｄ１を塞ぐ形態であれば、このように形成されていなくてもよい。
【００４１】
また、上記の実施形態では、見切り材７の連結板部７３は断面形状が略Ｚ字型となるように形成されているが、断面形状は適宜設定されてよい。
また、上記の実施形態では、前桁２に後板部２４から後方に突出する第２突出板部２６が設けられていて、見切り材７の前桁固定板部７１が後板部２４の上端部近傍および第２突出板部２６に沿うように略Ｌ字型状に形成されている。これに対し、前桁２に第２突出板部２６が設けられておらず、前桁２の後板部２４の後面とサッシ下枠材６の後面とが面一に配置されていて、見切り材７が前桁固定板部７１と連結板部７３とが面一となるように形成されていてもよい。
【００４２】
また、上記の実施形態では、テラス囲い１２に連結根太３２が設けられていて、デッキ材５１の幅方向の一方の端部５１ａが妻ばり３に固定され、他方の端部５１ｂが連結根太３２に固定されているが、連結根太３２が設けられておらず、デッキ材５１の幅方向の両端部５１ａ，５１ｂがテラス囲い１２の幅方向の両端部にそれぞれ設けられた妻ばり３，３に固定されていてもよい。また、テラス囲い１２の幅方向の両端部にそれぞれ設けられた妻ばり３，３の間に複数の連結根太３２，３２…が幅方向に間隔をあけて設けられていて、幅方向に隣り合う連結根太３２，３２にそれぞれ固定されるデッキ材５１が設けられていてもよい。
【００４３】
また、上記の実施形態では、妻ばり３の床材固定部３１２に、デッキ材５１の妻ばり３側の端部５１ａが配置される位置を示す第１溝部３１８や、デッキ材５１を固定するネジ５３の位置を示す第２溝部３１９が形成されているが、第１溝部３１８および第２溝部３１９の両方またはいずれか一方が形成されていなくてもよい。
また、第１溝部３１８および第２溝部３１９は、断面形状がＶ字型状以外の略Ｃ字形状などに形成されていてもよい。
また、妻ばり３の床材固定部３１２には、第１溝部３１８および第２溝部３１９に代わってデッキ材５１の妻ばり３側の端部５１ａが配置される位置およびデッキ材５１を固定するネジ５３の位置を示すラインや点などの印が設けられていてもよい。
【００４４】
また、上記の実施形態では、連結根太３２のデッキ材固定板部３２３に、デッキ材５１の連結根太３２側の端部５１ｂが配置される位置を示す第１溝部３２６や、デッキ材５１を固定するネジ５４の位置を示す第２溝部３２７が形成されているが、第１溝部３２６および第２溝部３２７の両方またはいずれか一方が形成されていなくてもよい。
また、第１溝部３２６および第２溝部３２７は、断面形状がＶ字型状以外の略Ｃ字形状などに形成されていてもよい。
また、連結根太３２のデッキ材固定板部３２３には、第１溝部３２６および第２溝部３２７に代わってデッキ材５１の連結根太３２側の端部５１ｂが配置される位置およびデッキ材５１を固定するネジ５４の位置を示すラインや点などの印が設けられていてもよい。
【符号の説明】
【００４５】
１  床構造
２  前桁
３  妻ばり
４  根太
５  床材
６  サッシ下枠材（枠材）
７  見切り材
１１  建物
１２  テラス囲い
１３  外壁
５１  デッキ材
７１  前桁固定板部
３１８  第１溝部（印）
ｄ１  隙間
【図１】
0006542605.tif 000002
【図２】
0006542605.tif 000003
【図３】
0006542605.tif 000004
【図４】
0006542605.tif 000005
【図５】
0006542605.tif 000006
【図６】
0006542605.tif 000007
【図７】
0006542605.tif 000008